(57)【要約】  洗濯機及び制御方法であって、内槽（２００）を含み、前記内槽（２００）が貯水槽であり、更に、内槽（２００）から排出された水を収集するための集水構造と、前記集水構造と連通する排水制御装置を含み、前記排水制御装置は、集水構造内の水位に基づいて排水を制御する。検出装置（８０１）を設けて集水構造内の水位を検出し、検出結果を主制御装置（８００）に伝達することで常時監視を実現する。また、集水構造内の水を排出する排水装置を設け、排水装置を主制御装置（８００）に電気的に接続することで、主制御装置（８００）が検出装置（８０１）の検出結果に基づいて、排水装置が集水構造内の水を排出するか否かを制御する。【選択図】図２
2020516375.tif 000002
【特許請求の範囲】
【請求項１】
内槽を含み、前記内槽が貯水槽である洗濯機であって、
更に、前記内槽から排出された水を収集するための集水構造と、前記集水構造と連通する排水制御装置を含み、前記排水制御装置は、前記集水構造内の水位に基づいて排水を制御することを特徴とする洗濯機。
【請求項２】
前記排水制御装置は、主制御装置、前記集水構造内の液体水位を検出する検出装置、及び前記集水構造内の水を排出する排水装置を含み、前記集水構造は全体が前記内槽の槽底の下部に位置し、前記検出装置と前記排水装置はいずれも前記主制御装置に電気的に接続されることを特徴とする請求項１に記載の洗濯機。
【請求項３】
前記集水構造は上開口を有する集水室を含み、前記集水室の側壁の上端は前記内槽の槽底よりも低く、前記内槽は前記集水室の上開口と連通し、前記検出装置が前記集水室内に設けられることを特徴とする請求項２に記載の洗濯機。
【請求項４】
前記集水構造は、装着プレートと、前記装着プレートに設けられる堰止リブを含み、前記装着プレートと前記堰止リブとで取り囲むようにして前記集水室が形成され、前記検出装置は前記装着プレートの上壁に設けられ、
好ましくは、前記検出装置が前記装着プレートに取り外し可能に接続されることを特徴とする請求項３に記載の洗濯機。
【請求項５】
前記排水装置は前記集水構造と連通する排水管を含み、前記排水管には、前記排水管の開通／遮断を制御する制御構造が設けられており、前記制御構造は前記排水管と連通し、前記制御構造は前記主制御装置に電気的に接続され、前記主制御装置は、前記検出装置により検出された前記集水構造内の水位に基づいて、前記制御構造の開放／閉止を制御することを特徴とする請求項２〜４のいずれかに記載の洗濯機。
【請求項６】
前記制御構造は電磁弁であり、前記電磁弁は前記主制御装置に電気的に接続され、主制御装置は、検出装置により検出された集水構造内の水位に基づき、前記電磁弁の開放／閉止を制御することで、排水管の開通／遮断を実現することを特徴とする請求項５に記載の洗濯機。
【請求項７】
前記制御構造は排水管と連通する排水ポンプであり、前記排水ポンプは前記主制御装置に電気的に接続され、前記主制御装置は、前記検出装置により検出された前記集水構造内の水位に基づき、前記排水ポンプの開放／閉止を制御することで、前記集水構造の水を排出するか否かを実現することを特徴とする請求項５に記載の洗濯機。
【請求項８】
前記検出装置は、前記集水構造内に設けられる水位センサ又は圧力センサであることを特徴とする請求項１〜７のいずれかに記載の洗濯機。
【請求項９】
請求項１〜８のいずれかに記載の洗濯機の制御方法であって、
主制御装置が水面高さＨ１を予め設定するステップと、
検出装置が集水構造内の水面高さＨ２を検出し、検出信号を主制御装置に伝達するステップと、
主制御装置が、Ｈ２がＨ１よりも大きいか否かを判断し、大きい場合には、主制御装置が排水装置を開放して集水構造内の水が排出されるよう制御し、大きくない場合には、主制御装置が排水装置を閉止状態とするよう制御するステップ、を含むことを特徴とする方法。
【請求項１０】
前記排水制御装置は排水管を含み、前記排水管は集水装置と連通し、前記集水構造内又は前記排水管内にフロート調整弁が設けられ、集水構造内の水位が一定の高さに達すると、前記フロート調整弁が開放されて、集水構造内の水が排水管を通じて洗濯機から排出されることを特徴とする請求項１に記載の洗濯機。
【発明の詳細な説明】
【技術分野】
【０００１】
本発明は洗濯機の分野に属し、具体的には、洗濯機及び制御方法に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽及びパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を拡大するためには、より大きな回転槽が必要となる。即ち、回転槽の高さ又は直径を増大する必要がある。また、回転槽がより大きなサイズを有する場合には、回転槽を収容する槽及び槽を収容するハウジングもまた、回転槽の拡大に伴って増大する必要がある。
【０００４】
しかし、洗濯機の外観に対応するハウジングの拡大は、洗濯機の設置スペースに大きく規制される。一般的なユーザの家では、洗濯機の設置位置に限りがあるため、洗濯機のハウジングを増大して洗濯槽の容量を拡大するとの目的を達成することはあまり現実的ではない。そこで、洗濯機のハウジングを増大することなく、如何にして回転槽の容量を拡大するかが、設計者を悩ませる大きな難題となっている。
【０００５】
内槽の容量を拡大するためには、集水構造を内槽の下部に設けて内槽から排出される水を収集することになる。しかし、洗濯機のサイズの影響で内槽の下部スペースには限界があり、集水構造の容積も限られてしまう。排水設計が良好でないと度々溢流が発生し、洗濯機下部の電気部材が破損したり、床が濡れて滑りやすくなったりする。そこで、内槽の容量を拡大することを前提に、如何にして集水構造による排水を設計するかが現在直面する大きな課題となっている。
【０００６】
上記に鑑みて、本発明を提案する。
【発明の概要】
【発明が解決しようとする課題】
【０００７】
本発明は、従来技術における瑕疵を解消し、洗濯機及び制御方法を提供することを解決しようとする課題とする。当該洗濯機及び制御方法では、集水構造を設けることで、内槽から排出される水が溢れ出ないよう堰き止め可能としつつ、集水構造による内槽容積の制限を低減して、良好な容量拡大効果を実現可能とする。また、検出装置を設けて集水構造内の水位を検出し、検出結果を主制御装置に伝達することで常時監視を実現する。また、集水構造内の水を排出する排水装置を設け、排水装置を主制御装置に電気的に接続することで、主制御装置が検出装置の検出結果に基づいて、排水装置による集水構造内の水の排出要否を制御する。
【課題を解決するための手段】
【０００８】
上記の技術的課題を解決すべく、本発明で採用する技術方案の基本思想について以下に述べる。
【０００９】
洗濯機であって、内槽を含み、前記内槽が貯水槽であり、更に、内槽から排出された水を収集するための集水構造と、前記集水構造と連通する排水制御装置を含み、前記排水制御装置は、集水構造内の水位に基づいて排水を制御する。
【００１０】
前記排水制御装置は、主制御装置、前記集水構造内の液体水位を検出する検出装置、及び集水構造内の水を排出する排水装置を含み、前記集水構造は全体が前記内槽の槽底の下部に位置し、前記検出装置と排水装置はいずれも主制御装置に電気的に接続される。
【００１１】
前記集水構造は上開口を有する集水室を含み、前記集水室の側壁の上端は前記内槽の槽底よりも低く、前記内槽は集水室の上開口と連通し、前記検出装置が集水室内に設けられる。
【００１２】
前記集水構造は、装着プレートと、装着プレートに設けられる堰止リブを含み、前記装着プレートと堰止リブで取り囲むようにして集水室が形成され、前記検出装置は装着プレートの上壁に設けられ、好ましくは、前記検出装置が装着プレートに取り外し可能に接続される。
【００１３】
前記排水装置は集水構造と連通する排水管を含み、前記排水管には、排水管の開通／遮断を制御する制御構造が設けられており、前記制御構造は排水管と連通し、前記制御構造は主制御装置に電気的に接続され、主制御装置は、検出装置により検出された集水構造内の水位に基づいて、前記制御構造の開放／閉止を制御する。
【００１４】
前記制御構造は電磁弁であり、前記電磁弁は前記主制御装置に電気的に接続され、主制御装置は、検出装置により検出された集水構造内の水位に基づき、前記電磁弁の開放／閉止を制御することで、排水管の開通／遮断を実現する。
【００１５】
前記制御構造は排水管と連通する排水ポンプであり、前記排水ポンプは主制御装置に電気的に接続され、主制御装置は、検出装置により検出された集水構造内の水位に基づき、排水ポンプの開放／閉止を制御することで、集水構造の水を排出するか否かを実現する。
【００１６】
前記検出装置は、集水構造内に設けられる水位センサ又は圧力センサである。
【００１７】
上記洗濯機の制御方法であって、主制御装置が水面高さＨ１を予め設定するステップと、検出装置が集水構造内の水面高さＨ２を検出し、検出信号を主制御装置に伝達するステップと、主制御装置が、Ｈ２がＨ１よりも大きいか否かを判断し、大きい場合には、主制御装置が排水装置を開放して集水構造内の水が排出されるよう制御し、大きくない場合には、主制御装置が排水装置を閉止状態とするよう制御するステップ、を含む。
【００１８】
前記排水制御装置は排水管を含み、前記排水管は集水装置と連通し、前記集水構造内又は前記排水管内にフロート調整弁が設けられ、集水構造内の水位が一定の高さに達すると、前記フロート調整弁が開放されて集水構造内の水が排水管を通じて洗濯機から排出される。
【発明の効果】
【００１９】
上記の技術方案を用いることで、本発明は従来技術と比較して以下の有益な効果を有する。
【００２０】
（１）集水構造を設けることで、内槽から排出される水が溢れ出ないよう堰き止め可能としつつ、集水構造による内槽容積の制限を低減して、良好な容量拡大効果を実現可能とする。
【００２１】
（２）検出装置を設けて集水構造内の水位を検出し、検出結果を主制御装置に伝達することで常時監視を実現する。
【００２２】
（３）集水構造内の水を排出する排水装置を設け、排水装置を主制御装置に電気的に接続することで、主制御装置が検出装置の検出結果に基づいて、排水装置による集水構造内の水の排出要否を制御する。
【００２３】
以下に、図面を組み合わせて、本発明の具体的実施形態につき更に詳細に述べる。
【００２４】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２５】
【図１】図１は、本発明における洗濯機の平面構造を示す図である。
【図２】図２は、本発明における洗濯機の図１のＡ−Ａ方向の断面構造を示す図である。
【図３】図３は、本発明における他の構造の洗濯機のＡ−Ａ方向の断面構造を示す図である。
【図４】図４は、本発明における洗濯機の制御方法を示す図である。
【発明を実施するための形態】
【００２６】
なお、これらの図面及び文字記載は何らかの方式で本発明の構想の範囲を制限するとの意図ではなく、特定の実施例を参照して当業者に本発明の概念を説明するためのものである。
【００２７】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【実施例１】
【００２８】
図１〜３に示すように、洗濯機は外槽を備えず、内槽２００を含む。前記内槽２００は貯水槽である。また、内槽２００から排出された水を収集するための集水構造と、前記集水構造と連通する排水制御装置を更に含む。前記排水制御装置は、集水構造内の水位に基づいて排水を制御する。
【００２９】
集水構造を設けることで、水が内槽２００から排出される際には集水構造により水が堰き止められるため、水の溢流が防止される。また、集水構造全体が内槽２００の下方に位置するため、集水構造は内槽２００の側壁と筐体１００の間に位置する部分の構造を有さない。そのため、内槽２００の容量拡大を制限することがなく、内槽２００の容量拡大のために十分なスペースが提供される。また、排水制御装置を設けることで、集水構造内の水量が過剰となった場合には、排水制御装置により水が排出される。よって、集水構造内の水位が過剰に高くなって溢れ出すとの事態が効果的に防止される。
【００３０】
前記排水制御装置は、主制御装置８００、前記集水構造内の液体水位を検出する検出装置８０１、及び集水構造内の水を排出する排水装置を含む。前記集水構造は、全体が前記内槽２００の槽底の下部に位置する。前記検出装置８０１と排水装置はいずれも主制御装置８００に電気的に接続される。検出装置８０１は集水構造内の水位を検出し、検出結果を主制御装置８００に伝達する。主制御装置８００は、検出装置が検出した水位に基づいて排水装置による排水を制御する。
【００３１】
一般的に、洗濯機は、筐体１００と、前記内槽２００を回転駆動する駆動装置を更に含む。内槽２００は筐体１００内に設けられる。また、主制御装置８００は、一般的に筐体１００内に設けられて筐体１００に固定接続される。
【００３２】
更に、前記集水構造は、上開口を有する集水室４００を含む。前記集水室４００の側壁の上端は、前記内槽２００の槽底よりも低くなっている。また、前記内槽２００は集水室４００の上開口と連通し、前記検出装置８０１が集水室４００内に設けられる。
【００３３】
集水室４００を設けることで、内槽２００から排出される水の堰き止めが実現される。集水室４００の側壁の上端が前記内槽２００の槽底よりも低くなっており、集水室４００全体が内槽２００の槽底下方に位置しているため、集水室４００の側壁は内槽２００と筐体１００の間に位置する構造を有さない。よって、内槽２００と集水構造の間に一定の安全距離を設ける必要がなく、内槽２００が集水構造に衝突して破損するとの事態が防止される。且つ、集水構造と筐体１００の間にも安全距離を設ける必要がないため、内槽２００と筐体１００の間の安全距離を設計するだけでよい。よって、内槽２００の槽径を大幅に拡大可能となり、内槽２００の容量拡大がより良好に実現される。
【００３４】
内槽２００の下部には第２排水口２０４が設けられており、内槽２００内の水を集水構造に排出可能である。洗濯機は、第２排水口２０４を封止する封止装置２０５を含む。給水及び洗濯状態の場合、封止装置２０５は第２排水口２０４を封止し、内槽２００に貯水して洗濯を行う。また、排水・脱水時には封止装置２０５が開放され、水が集水構造の集水室４００に排出される。給水時に流量計等の水位制御部材が故障した場合、水はバランスリングの上部から内槽２００の壁沿いに底部の集水室４００内に流入するが、給水が停止しないことから集水室４００から水が溢れ出してしまう。或いは、脱水・排水時に、内槽２００内の洗浄水は内槽２００から集水室４００に進入するが、液体が過剰となった場合には集水室４００から溢れ出してしまう。或いは、洗濯過程において、内槽２００と集水室４００の間の封止装置２０５が破損していると、洗浄水が内槽２００から集水室４００に進入し、水の進入が停止しないことから水が集水室４００から溢れ出してしまう。上記３種類の状況では、いずれも水が床まで溢流することから、床が濡れて滑りやすくなったり、洗濯機底部の電気部材まで溢流して電気部材が破損したりする。
【００３５】
そこで、検出装置８０１を設けて集水構造内の水位を検出し、検出結果を主制御装置８００に伝達することで、集水構造内の水位を常時監視する。主制御装置８００は、連動構造の連動、或いは検出結果の表示又は出力、或いは警報の制御を行う。
【００３６】
検出装置８０１を集水室４００内に設けることで、集水室４００内の水位を常時監視する。
【００３７】
更に、前記集水構造は、装着プレート５００と、装着プレート５００に設けられる堰止リブ５０１を含む。前記装着プレート５００と堰止リブ５０１で取り囲むようにして集水室４００が形成される。前記検出装置８０１は装着プレート５００の上壁に設けられるとともに、集水室４００内に位置する。検出装置８０１を装着プレート５００の上壁に設けることで、検出装置８０１による集水構造内の水位検出が容易となる。
【００３８】
堰止リブ５０１と装着プレート５００は一体的に成型してもよいし、接着等のその他の固定方式を用いてもよい。
【００３９】
更に、前記検出装置８０１は装着プレート５００に取り外し可能に接続される。検出装置８０１と装着プレート５００は、係接、ネジ接続又はその他の取り外し可能な接続方式が可能なため、検出装置８０１の交換及び修繕が容易である。
【００４０】
排水構造を設け、且つ排水装置と検出装置８０１をいずれも主制御装置８００に電気的に接続することで、主制御装置８００は、検出装置８０１により検出された集水構造内の水面高さに基づいて、排水装置の開放又は開度を制御する。集水構造内の水位が高い場合には、排水装置を開放するか、排水装置の開度を大きくすることで迅速な排水を実現する。また、水位が低位置まで低下するか無水となった場合には、排水装置を閉止するか、排水装置の開度を小さくすることで排水を停止するか排水量を減少させる。
【００４１】
排水装置は、独立して設けられて故障時に排水を行うための装置としてもよいし、従来の洗濯機における排水管の構造を改造してもよい。
【００４２】
排水装置が開放される場合：
給水過程では、封止装置２０５が第２排水口２０４を封止するため、基本的には集水構造内に水は存在しない。そこで、排水装置と主制御装置８００を電気的に接続することで、主制御装置は排水装置が閉止状態となるよう制御する。しかし、流量計等の水位制御部材の故障や封止装置２０５の故障により水流が溢れ出し、検出装置８０１が集水構造内の水位が過剰である旨を検出した場合には、排水装置を開放して集水構造内の水が排出されるよう制御する。
【００４３】
また、排水・脱水過程では、封止装置２０５が第２排水口２０４を開放するため、水が集水構造に排出される。そこで、主制御装置８００は排水装置を開放し、集水室４００内の水が排出されるよう制御する。或いは、検出装置は集水構造における集水室４００内の液位が過剰である旨を検出すると、検出情報を主制御装置８００に伝達する。すると、主制御装置８００は排水装置を開放するよう制御して排水を実現する。
【００４４】
また、排水・脱水過程で排水装置が開放されない場合、検出装置８０１は液位が過剰である旨を検出すると、検出情報を主制御装置８００に伝達する。すると、主制御装置８００は排水装置を開放するよう制御する。
【００４５】
更に、前記排水装置は集水構造と連通する排水管４０１を含む。前記排水管４０１には、排水管４０１の開通／遮断を制御する制御構造８０２が設けられている。前記制御構造８０２は排水管４０１と連通する。制御構造８０２が開放されると、排水管４０１が開通して洗浄水を排出可能となる。一方、制御構造８０２が閉止されると、排水管４０１が遮断されて洗浄水を排出不可能となる。前記制御構造８０２は主制御装置８００に電気的に接続される。主制御装置８００は、検出装置８０１により検出された集水構造内の水位に基づいて、前記制御構造８０２の開放／閉止を制御する。
【００４６】
排水管４０１に制御構造８０２を設け、制御構造８０２を主制御装置８００に電気的に接続することで、主制御装置８００は、検出装置８０１により検出された集水構造内の水位に基づき、前記制御構造８０２の開放／閉止を制御する。これにより、集水構造内の水を排出するか否かが実現される。
【００４７】
最適には、排水の便宜上、排水管４０１は集水室４００の底壁と連通する。
【００４８】
制御構造８０２としては様々なタイプが可能であるが、ここでは、電磁弁と排水ポンプの場合を例に説明する。
【００４９】
方案１：前記制御構造８０２を電磁弁とする。前記電磁弁は前記主制御装置８００に電気的に接続される。主制御装置８００は、検出装置８０１により検出された集水構造内の水位に基づき、前記電磁弁の開放／閉止を制御する。これにより、排水管４０１の開通／遮断が実現される。
【００５０】
例えば、給水状態の場合、封止装置２０５は第２排水口２０４を封止するため、集水室４００内には基本的に水は存在せず、電磁弁は閉止状態となる。しかし、故障が発生すると、集水室４００内の水位が上昇する。水位が過剰になると、主制御装置８００は電磁弁を開放して排水管４０１を開通し、集水室４００内の水を排出するよう制御する。
【００５１】
最適には、電磁弁は常時閉電磁弁であり、正常状態において電磁弁を閉止状態とする。
【００５２】
更に、排水管４０１は垂直方向の高さが集水室４００の上端よりも低くなっている。最適には、排水管４０１は垂直方向の高さが集水室４００と排水管４０１との連通口よりも低くなっている。連通口が集水室４００の底壁に設けられる場合、最適には、排水管４００が集水室４００の底壁よりも低くなっている。
【００５３】
当該方案の構造は、下方からの排水方式で排水を行う洗濯機に十分適している。
【００５４】
方案２：前記制御構造８０２を排水管４０１と連通する排水ポンプとする。前記排水ポンプは主制御装置８００に電気的に接続される。主制御装置８００は、検出装置８０１により検出された集水構造内の水位に基づき、排水ポンプの開放／閉止を制御する。これにより、集水構造内の水を排出するか否かが実現される。
【００５５】
集水構造内の水位が過剰となった場合、主制御装置８００は排水ポンプを開放し、集水構造内の水を吸い出すことで排水を実現するよう制御する。水位が安全高さまで回復すると、主制御装置８００は排水ポンプを閉止し、水が排出されないよう制御する。当該構造は、上方からの排水方式で排水を行う洗濯機に非常に適している。
【００５６】
更に、前記検出装置８０１は、集水構造内に設けられる水位センサ又は圧力センサである。水位センサ又は圧力センサにより集水構造内の水位を検出することで、感度が良好となる。最適には、水位センサ又は圧力センサが集水室の底壁に設けられる。
【００５７】
更に、前記排水管４０１の吐水口が洗濯機の外部まで延伸している。
【００５８】
前記内槽２００は、脱水時に排水に用いられる第１排水口２０１と、第１排水口２０１と連通する第１排水管路２０２を含む。前記第１排水管路２０２の吐水口２０３は集水構造と連通する。脱水時には、水が第１排水管路２０２を通じて第１排水口２０１に到達し、集水構造に進入する。更に、水は排水管４０１を通じて洗濯機の外部に排出される。
【００５９】
更に、前記集水室４００の側壁と前記内槽２００の槽底の外壁との間には一定の間隔が設けられている。
【００６０】
集水室４００の側壁の上端を内槽２００の槽底よりも低くし、且つ、集水室４００の側壁と内槽２００の槽底の外壁との間に一定の間隔を設けることで、洗濯槽２０６が震動時に集水室４００の側壁に衝突するとの事態が防止されるため、集水室４００の使用寿命が延びる。
【００６１】
前記排水制御装置は、上記の電気制御方式とはせずに、機械制御方式としてもよい。排水制御装置は排水管を含み、前記排水管が集水装置と連通する。前記排水管と集水構造との接続箇所又は前記排水管内にはフロート調整弁が設けられる。集水構造内の水位が一定の高さに達すると、前記フロート調整弁が開放されて、集水構造内の水が排水管を通じて洗濯機から排出される。
【００６２】
例えば、排水管内にフロートが設けられる場合、フロートの上部にフロートベースが設けられ、下部にバネが設けられる。バネは一端がフロートに固定接続され、他端が排水管の内壁に固定接続される。バネは圧縮バネである。圧縮バネの弾性力の作用によって、フロートの上端は密封するようフロートベースに当接する。集水構造内の水位が一定の高さよりも高くなると、フロートの上部が水圧の作用を受けてバネの弾性力に抗し、下方へと運動する。これにより、フロートがフロートベースから分離して集水構造内の水が排出される。水位が一定の値まで低下すると、フロートは弾性力の作用によって上方へと運動し、密封するようフロートベースに当接する。これにより、集水構造内の水が排出されなくなる。
【実施例２】
【００６３】
図１〜３に示すように、本実施例は実施例１を更に限定する。本実施例において、前記集水構造は、装着プレート５００と、装着プレート５００に設けられる堰止リブ５０１を含む。また、前記装着プレート５００と堰止リブ５０１で取り囲むようにして集水室４００が形成される。装着プレート５００と堰止リブ５０１を設け、これらで取り囲むようにして集水室４００が形成されるため、当該構造はシンプルであり、加工成形が容易である。
【００６４】
集水室４００は装着プレート５００の中央部に位置するため、堰止装置の重心が中心といっそう重なりやすく、ずれが減少する。
【００６５】
前記堰止リブ５０１は環状をなしており、前記堰止リブ５０１と装着プレート５００で取り囲むようにして環状の集水室４００が形成される。
【００６６】
更に、前記堰止リブ５０１は傾斜して設けられる。堰止リブ５０１を傾斜状に設けることで、堰き止め量を最大限増加させられるため、使用にいっそう都合がよい。
【００６７】
更に、前記堰止リブ５０１は、上開口の口径がより大きくなるよう、上から下に集水室４００の中心軸線方向へと徐々に収縮しているため、集水がより容易となる。
【００６８】
更に、前記内槽２００の底部外壁は曲面をなしており、前記堰止リブ５０１と内槽２００の曲面の間に一定の間隔が設けられている。
【００６９】
更に、前記内槽２００の水平方向の投影図は、前記集水室４００の水平方向の投影図に被さる。内槽２００の水平方向の投影図が前記集水室４００の水平方向の投影図に被さるようにすることで、集水室４００と筐体１００との間隔が増大する。これにより、筐体１００に対する集水室４００の衝突が防止されるため、集水室４００の破損が減少する。且つ、集水室４００が小さくなるため、筐体１００の底部に対するその他装置の装着がいっそう容易となる。
【００７０】
より多くの水を収集可能となるよう、前記内槽２００の水平方向の投影図は、前記集水室４００の水平方向の投影図より小さくしてもよい。
【００７１】
更に、装着プレート５００には排水管４０１が設けられている。排水管４０１は一端が集水室４００と連通し、他端が洗濯機の外部に通じるか、洗濯機の排水管路全体と連通して水を排出する。集水室４００に集水構造内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【００７２】
更に、内槽２００の槽壁には、第１排水口２０１と、第１排水口２０１と連通する第１排水管路２０２が設けられている。前記第１排水管路２０２の吐水口２０３は、集水室４００の上開口の上方に設けられている。第１排水口２０１と第１排水管路２０２はいずれも複数とし、各第１排水口２０１がそれぞれ第１排水管路２０２に対応してもよいし、複数の第１排水口２０１が１つの第１排水管路２０２に対応してもよい。洗濯機が脱水プログラムを実行する際には、洗濯槽２０６の遠心分離の作用で振り飛ばされた水が、第１排水口２０１を経由して第１排水管路２０２に進入するとともに、第１排水管路２０２の吐水口２０３を通じて集水室４００に排出される。これにより、四方への水の溢流が堰き止められる。
【００７３】
前記第１排水管路２０２の吐水口２０３は、集水室４００の上開口の上方に設けられている。吐水口２０３と集水構造を連通することで、脱水時に水が第１排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【００７４】
更に、前記内槽２００は、脱水及び／又は水の振り飛ばし時に内槽２００内の水を集水室４００に排出するための第２排水口２０４を更に含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【００７５】
更に、前記第２排水口２０４は、前記集水室４００の上開口の上方に設けられており、前記封止装置２０５は第２排水口２０４の下部に設けられている。
【００７６】
第２排水口２０４を設け、脱水及び／又は水の振り飛ばし時に封止装置２０５が第２排水口２０４を開放することで、内槽２００内の水が集水構造に直接排出される。水は堰止リブ５０１によって溢れ出ないよう堰き止められつつ、排水管４０１を通じて洗濯機から排出される。また、洗濯時には、封止装置２０５が第２排水口２０４を封止することで、内槽２００内の水を内槽２００内に保持して洗濯を実施する。
【００７７】
洗濯機は、パルセータ洗濯機である。
【００７８】
前記封止装置２０５は、バルブプラグ２０５−１と、バルブプラグ２０５−１の下方に設けられる電磁装置２０５−２を含む。電磁装置２０５−２は洗濯機の制御装置に電気的に接続される。洗濯機が洗濯状態の場合、バルブプラグ２０５−１は第２排水口２０４を封止して内槽２００内の水の排出を防止する。また、洗濯機が排水又は脱水状態の場合、前記電磁装置２０５−２はバルブプラグ２０５−１が下方に運動するよう制御し、第２排水口２０４を開放することで水を集水構造に排出する。
【００７９】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、バルブプラグ２０５−１がちょうど第２排水口２０４と対向し、第２排水口２０４を封止することで、内槽２００内の水の排出が防止される。また、出力軸が洗濯機内のパルセータを回転させる。
【００８０】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水が自重により落下して、自動的に集水構造に流入可能となる。また、装着プレート５００が駆動装置３００の上部に設けられるため、水が駆動装置３００から隔離される。よって、水に起因する駆動装置３００の破損が防止される。
【００８１】
駆動装置３００はモータ３０１を含む。モータ３０１の上方には減速クラッチ装置３０２が設けられており、装着プレート５００の下部が減速クラッチ又はモータ３０１のハウジングに固定接続される。
【００８２】
装着プレート５００と駆動装置３００の接続方式としては、軸受を介して前記装着プレート５００と駆動装置３００の出力軸３０３を接続してもよい。
【００８３】
更に、減速クラッチの出力軸３０３は、前記装着プレート５００を貫通して内槽２００に接続され、内槽２００を回転駆動する。また、装着プレート５００と駆動装置３００の出力軸３０３は軸受を介して接続される。
【実施例３】
【００８４】
図１〜２に示すように、懸架式容量拡大洗濯機は、筐体１００、筐体１００内に設けられる洗濯槽２０６及び駆動装置３００を含む。前記駆動装置３００の出力軸３０３は、洗濯槽２０６に接続されて洗濯槽２０６を回転駆動する。洗濯機は、更に、懸架式制震部材６００と、洗濯槽２０６の下部に設けられる装着部材７００を含む。前記駆動装置３００は前記装着部材７００に装着される。前記懸架式制震部材６００は、一端が筐体１００に接続され、他端が装着部材７００に接続される。
【００８５】
洗濯槽２０６の下方に装着部材７００を設け、懸架式制震部材６００を装着部材７００に装着する。装着部材７００は洗濯槽２０６の位置よりも下寄りであることから、装着部７０１の縦方向の高さが低下する。そのため、装着された懸架式制震部材６００と筐体の側壁の間の傾斜角度θが小さくなり、懸架式制震部材６００による占有スペースが縮小される。当該構造を洗濯槽２０６と筐体１００の間に懸架する場合、筐体１００の体積を増大することなく洗濯槽２０６の直径を増大可能となり、容量を拡大するとの目的が実現される。
【００８６】
洗濯槽２０６は、内槽２００のみを有する洗濯槽２０６とし、内槽２００を注水及び洗濯に用いてもよいし、内槽２００と外槽を有する洗濯槽２０６としてもよい。
【００８７】
更に、前記装着部材７００は、懸架式制震部材６００に組み付けられる装着部７０１を含む。前記装着部７０１は、前記洗濯槽２０６の槽底よりも低くなっている。
【００８８】
装着部７０１は洗濯槽２０６の槽底よりも低くなっているため、洗濯槽２０６と筐体１００の間のスペースを占有しない。よって、洗濯槽２０６の直径を増大可能となり、容量拡大が実現される。
【００８９】
更に、前記装着部７０１は、前記洗濯槽２０６の槽底の下方に位置している。装着部７０１が洗濯槽２０６の槽底より低く設けられているため、懸架式制震部材６００と装着部７０１を組み付けた場合に、懸架式制震部材６００と筐体１００の間に形成される傾斜角度が小さくなる。即ち、懸架式制震部材６００と筐体１００の内壁がいっそう密着するため、洗濯槽２０６にいっそう十分なスペースが保持される。よって、洗濯槽２０６の直径を増大することで容量を拡大するとの目的を実現可能となる。
【００９０】
更に、前記装着部７０１の水平方向の投影図は、前記洗濯槽２０６の水平方向の投影図の外側に位置する。
【００９１】
装着部７０１が洗濯槽２０６の槽底の下方に設けられ、洗濯槽２０６と筐体１００の間のスペースを占有しないことから、装着部７０１は洗濯槽２０６と衝突し得ない。これを前提として、装着部７０１の水平方向の投影図が前記洗濯槽２０６の水平方向の投影図の外側に位置するよう、装着部７０１を水平方向において洗濯槽２０６の槽壁の外側まで延伸する。これにより、懸架式制震部材６００の装着スペースが更に縮小するため、洗濯槽２０６の装着スペースが増大し、洗濯槽２０６の容量拡大が実現される。
【００９２】
更に、前記出力軸３０３は、装着部材７００を貫通して洗濯槽２０６に接続され、洗濯槽２０６を回転駆動する。また、前記装着部材７００と出力軸３０３は軸受を介して接続される。
【００９３】
装着部材７００は、装着部材７００、駆動装置３００及び洗濯槽２０６が相対的に独立したひと固まりとなるよう、駆動装置３００のハウジングに固定接続してもよい。また、装着部材７００は、装着部材７００、駆動装置３００及び洗濯槽２０６が相対的に独立したひと固まりとなるよう、駆動装置３００のハウジングに固定接続するとともに、軸受を介して出力軸３０３に接続してもよい。
【００９４】
前記装着部材７００は、装着部材７００、駆動装置３００及び洗濯槽２０６が相対的に独立したひと固まりとなるよう、軸受を介して出力軸３０３に接続され、及び／又は、駆動装置３００のハウジングに固定接続される。また、制震部材によって装着部材７００の震動が軽減し、更には洗濯槽２０６、駆動装置３００の震動軽減が実現されるため、良好な制震効果が実現される。
【００９５】
前記装着部材７００は中心対称構造をなしている。また、前記懸架式制震部材６００は複数とし、複数の前記懸架式制震部材６００が装着部材７００の全周に均一に分布している。
【００９６】
装着プレート５００を中心対称構造とすることで、装着プレート５００、洗濯槽２０６及びモータ３０１の全体的な重心がずれる可能性が低減し、より良好な制震効果が実現される。また、装着プレート５００を円形とすることで、駆動装置３００を装着しやすくなるほか、構造がより安定的となる。
【実施例４】
【００９７】
図１〜２に示すように、本実施例は実施例３を更に限定する。本実施例における装着部材７００は、平板状の円形の装着プレート５００であり、装着プレート５００の直径が前記洗濯槽２０６の直径よりも大きくなっている。前記装着プレート５００は洗濯槽２０６の下方に設けられ、前記懸架式制震部材６００の下端が装着プレート５００の辺縁に組み付けられる。これにより、懸架式制震部材６００と装着プレート５００との接続部が洗濯槽２０６の下部に位置するとともに、洗濯槽２０６の周方向の外側に位置する。即ち、装着部７０１は洗濯槽２０６の槽底の斜め下方に位置することから、懸架式制震部材６００の懸架スペースが縮小される。そのため、筐体１００の体積を増大させることなく、洗濯槽２０６のために保持されるスペースが増大する。
【００９８】
前記駆動装置３００は装着プレート５００の下部に組み付けられる。前記駆動装置３００の出力軸３０３は前記装着プレート５００を貫通し、軸受を介して前記装着プレート５００に接続される。
【００９９】
懸架式制震部材６００は４つとし、円形の装着プレート５００の全周に均一に分布している。
【０１００】
前記制震部材は、懸架ロッド６０２と、減衰力を発生させる制震ユニット６０１を含む。前記懸架ロッド６０２は、一端が筐体１００の上部に固定され、他端が前記装着部７０１を貫通して制震ユニット６０１に接続される。
【０１０１】
制震ユニット６０１は装着プレート５００の下部に位置するため、制震ユニット６０１が水平方向において筐体１００と洗濯槽２０６の間のスペースを占有することがない。よって、制震ユニット６０１により洗濯槽２０６の容量拡大が妨げられるとの事態が低減する。
【０１０２】
制震部材と筐体１００及び装着プレート５００との装着方式としては、更に、前記筐体１００の上部に装着ベースを設け、前記懸架ロッド６０２の一端が装着部材７００に接続されるとともに、他端が装着ベースを貫通して制震ユニット６０１に接続されるようにしてもよい。
【０１０３】
装着部材７００は、十字型の装着プレート５００としてもよい。懸架式制震部材６００は、十字型の装着プレート５００における各分岐の辺縁にそれぞれ接続される。懸架式制震部材６００と十字型の装着プレート５００を接続する装着部７０１は洗濯槽２０６の槽底より低くなっているため、洗濯槽２０６と筐体１００の間のスペースを占有することがない。且つ、装着部７０１を低くすることで、懸架式制震部材６００の装着スペースが縮小され、洗濯槽２０６の容量拡大が実現される。
【０１０４】
装着プレート５００は平板としてもよいし、中央が高く辺縁が低い構造としてもよい。例えば、環状の辺縁プレート、円形の中心プレート、及び辺縁プレートと中心プレートを接続する接続垂直プレートを含み、断面が「Ω」状をなすようにしてもよい。
【０１０５】
装着プレート５００は、駆動装置３００のハウジングに固定接続してもよいし、言うまでもなく、軸受を介してハウジング及び出力軸３０３の双方に接続してもよい。
【実施例５】
【０１０６】
図１〜３に示すように、実施例３及び実施例４を元に、本実施例では、制震装置がモータ３０１を含む。モータには減速クラッチが設けられており、減速クラッチの出力軸３０３が洗濯槽２０６に接続されて洗濯槽２０６を回転駆動する。前記制震装置は、第１制震部材７０３を更に含む。前記第１制震部材７０３は、一端が装着部材７００に可動に接続され、他端が筐体１００の底部に可動に接続される。第１制震部材７０３は装着部材７００に下方向の引っ張り力を付与する。これにより、装着部材７００は、第１制震部材７０３からの下方向の引っ張り力と懸架式制震部材６００からの上方向の引っ張り力を同時に受けることになり、これらの合力の作用によって、より良好な制震効果が実現される。
【０１０７】
装着部材７００は円形且つ平板状の装着プレート５００である。懸架式制震部材６００が上部から装着プレート５００に接続され、第１制震部材７０３が下部から装着プレート５００に接続されることで、懸架式制震部材６００と第１制震部材７０３が同時に装着プレート５００に作用可能となる。これにより、装着プレート５００に制震作用が奏されるため、洗濯槽２０６とモータ３０１に対する制震効果が実現される。
【０１０８】
装着部材７００の他の方案として、装着部材７００は、懸架式制震部材６００に接続される装着大プレート７００−１と、第１制震部材７０３に接続される装着小プレート７００−２を含む。装着大プレート７００−１と装着小プレート７００−２は、装着部材の強度が補強されるよう補強リブを介して接続される。補強リブは間隔を置いて設けられるため、補強効果がより良好となる。洗濯機の筐体１００の底壁には、補強構造を設置したり、その他の部材を装着したりする必要があるため、一般的には、装着大プレート７００−１の直径を装着小プレート７００−２の直径よりも大きく設計することで、その他の部材を装着するためのスペースを提供する。このように、分割して設けることで装着部材７００下方のスペースがより節約されるため、使用にいっそう都合がよい。
【０１０９】
更に、前記第１制震部材７０３は、一端が装着部材７００にヒンジ接続され、他端が筐体１００の底部にヒンジ接続される。
【０１１０】
更には、前記第１制震部材７０３はアブソーバである。
【０１１１】
更に、洗濯機は、駆動装置３００に設けられる第２制震部材７０４を含む。前記第２制震部材７０４は、一端が駆動装置３００に固定接続されるとともに、他端が筐体１００の底壁に固定接続される。
【０１１２】
第２制震部材７０４を設け、駆動装置３００に下方向の引っ張り力又は上方向の弾性力を付与するとともに、第１制震部材７０３と懸架式制震部材６００を組み合わせることで、装着プレート５００、駆動装置３００及び洗濯槽２０６から形成されるひと固まりに対し、各部材の相互作用によってより良好な制震効果が奏される。
【０１１３】
更に、前記第２制震部材７０４は、一端がモータ３０１の固定子に固定接続され、他端が筐体１００の底壁に固定接続される。
【０１１４】
更には、第２制震装置は制震バネである。
【０１１５】
更に、洗濯機には、内槽２００から排出される水が溢れ出さないよう堰き止める集水構造が設けられている。前記集水構造は全体が前記内槽２００の槽底の下部に位置する。集水構造は、上開口を有する集水室４００を含む。前記集水室４００の側壁の上端は、前記内槽２００の槽底よりも低くなっている。また、前記内槽２００は集水室４００の上開口と連通する。
【０１１６】
具体的に、装着プレート５００には堰止リブ５０１が設けられ、前記装着プレート５００と堰止リブ５０１で取り囲むようにして集水室４００が形成される。装着プレート５００と堰止リブ５０１を設け、これらで取り囲むようにして集水室４００が形成されるため、当該構造はシンプルであり、加工成形が容易である。
【０１１７】
集水室４００は装着プレート５００の中央部に位置するため、堰止装置の重心が中心といっそう重なりやすく、ずれが減少する。
【０１１８】
前記堰止リブ５０１は環状をなしており、前記堰止リブ５０１と装着プレート５００で取り囲むようにして環状の集水室４００が形成される。
【０１１９】
更に、前記堰止リブ５０１は傾斜して設けられる。堰止リブ５０１を傾斜状に設けることで、堰き止め量を最大限増加させられるため、使用にいっそう都合がよい。
【０１２０】
更に、前記堰止リブ５０１は、上開口の口径がより大きくなるよう、上から下に集水室４００の中心軸線方向へと徐々に収縮しているため、集水がより容易となる。
【０１２１】
更に、前記内槽２００の底部外壁は曲面をなしており、前記堰止リブ５０１と内槽２００の曲面の間に一定の間隔が設けられている。
【０１２２】
更に、前記内槽２００の水平方向の投影図は、前記集水室４００の水平方向の投影図に被さる。内槽２００の水平方向の投影図が前記集水室４００の水平方向の投影図に被さるようにすることで、集水室４００と筐体１００との間隔が増大する。これにより、筐体１００に対する集水室４００の衝突が防止されるため、集水室４００の破損が減少する。且つ、集水室４００が小さくなるため、筐体１００の底部に対するその他装置の装着がいっそう容易となる。
【０１２３】
より多くの水を収集可能となるよう、前記内槽２００の水平方向の投影図は、前記集水室４００の水平方向の投影図より小さくしてもよい。
【０１２４】
更に、装着プレート５００には排水管４０１が設けられている。排水管４０１は一端が集水室４００と連通し、他端が洗濯機の外部に通じるか、洗濯機の排水管路全体と連通して水を排出する。集水室４００に集水構造内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【０１２５】
更に、内槽２００の槽壁には、第１排水口２０１と、第１排水口２０１と連通する第１排水管路２０２が設けられている。前記第１排水管路２０２の吐水口２０３は、集水室４００の上開口の上方に設けられている。第１排水口２０１と第１排水管路２０２はいずれも複数とし、各第１排水口２０１がそれぞれ第１排水管路２０２に対応してもよいし、複数の第１排水口２０１が１つの第１排水管路２０２に対応してもよい。洗濯機が脱水プログラムを実行する際には、洗濯槽２０６の遠心分離の作用で振り飛ばされた水が、第１排水口２０１を経由して第１排水管路２０２に進入するとともに、第１排水管路２０２の吐水口２０３を通じて集水室４００に排出される。これにより、四方への水の溢流が堰き止められる。
【０１２６】
前記第１排水管路２０２の吐水口２０３は、集水室４００の上開口の上方に設けられている。吐水口２０３と集水構造を連通することで、脱水時に水が第１排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【０１２７】
更に、前記内槽２００は、脱水及び／又は水の振り飛ばし時に内槽２００内の水を集水室４００に排出するための第２排水口２０４を更に含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【０１２８】
更に、前記第２排水口２０４は、前記集水室４００の上開口の上方に設けられており、前記封止装置２０５は第２排水口２０４の下部に設けられている。
【０１２９】
第２排水口２０４を設け、脱水及び／又は水の振り飛ばし時に封止装置２０５が第２排水口２０４を開放することで、内槽２００内の水が集水構造に直接排出される。水は堰止リブ５０１によって溢れ出ないよう堰き止められつつ、排水管４０１を通じて洗濯機から排出される。また、洗濯時には、封止装置２０５が第２排水口２０４を封止することで、内槽２００内の水を内槽２００内に保持して洗濯を実施する。
【０１３０】
洗濯機は、パルセータ洗濯機である。
【０１３１】
前記封止装置２０５は、バルブプラグ２０５−１と、バルブプラグ２０５−１の下方に設けられる電磁装置２０５−２を含む。電磁装置２０５−２は洗濯機の制御装置に電気的に接続される。洗濯機が洗濯状態の場合、バルブプラグ２０５−１は第２排水口２０４を封止して内槽２００内の水の排出を防止する。また、洗濯機が排水又は脱水状態の場合、前記電磁装置２０５−２はバルブプラグ２０５−１が下方に運動するよう制御し、第２排水口２０４を開放することで水を集水構造に排出する。
【０１３２】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、バルブプラグ２０５−１がちょうど第２排水口２０４と対向し、第２排水口２０４を封止することで、内槽２００内の水の排出が防止される。また、出力軸が洗濯機内のパルセータを回転させる。
【０１３３】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水が自重により落下して、自動的に集水構造に流入可能となる。また、装着プレート５００が駆動装置３００の上部に設けられるため、水が駆動装置３００から隔離される。よって、水に起因する駆動装置３００の破損が防止される。
【０１３４】
駆動装置３００はモータ３０１を含む。モータ３０１の上方には減速クラッチ装置３０２が設けられており、装着プレート５００の下部が減速クラッチ又はモータ３０１のハウジングに固定接続される。
【０１３５】
装着プレート５００と駆動装置３００の接続方式としては、軸受を介して前記装着プレート５００と駆動装置３００の出力軸３０３を接続してもよい。
【０１３６】
更に、減速クラッチの出力軸３０３は、前記装着プレート５００を貫通して内槽２００に接続され、内槽２００を回転駆動する。また、装着プレート５００と駆動装置３００の出力軸３０３は軸受を介して接続される。
【実施例６】
【０１３７】
実施例１〜実施例５の洗濯機の制御方法であって、検出装置８０１が集水構造内の水位を検出し、検出情報を主制御装置８００に伝達する。主制御装置８００は、検出装置８０１の検出結果に基づいて、排水装置の開放／閉止を制御する。
【０１３８】
更に、図４に示すように、洗濯機の制御方法は、以下のステップを含む。即ち、主制御装置８００が水面高さＨ１を予め設定する。検出装置８０１は、集水構造内の水面高さＨ２を検出し、検出信号を主制御装置８００に伝達する。主制御装置８００は、Ｈ２がＨ１よりも大きいか否かを判断する。大きい場合、主制御装置８００は、排水装置を開放して集水構造内の水が排出されるよう制御する。また、大きくない場合、主制御装置８００は、排水装置を閉止状態として水が排出不可能となるよう制御する。
【０１３９】
以下に、排水ポンプの場合を例に説明すると、洗濯機の制御方法は次のステップを含む。
【０１４０】
Ｓ１：主制御装置８００は、洗濯機が洗浄プログラムの場合、集水構造内の水面高さを予め０と設定し、洗濯機が脱水プログラムの場合、集水構造内の水面高さを予め集水室の側壁の高さのａ％と設定する。
【０１４１】
Ｓ２：検出装置８０１は、集水室内の水面高さＨ２を検出し、検出信号を主制御装置８００に伝達する。
【０１４２】
Ｓ３：主制御装置８００は、洗濯機が洗浄プログラムか脱水プログラムかを判断し、洗浄プログラムの場合にはＳ４を実行するが、脱水プログラムの場合にはＳ５を実行する。
【０１４３】
Ｓ４：主制御装置８００は、Ｈ２が０よりも大きいか否かを判断する。Ｈ２＞０の場合、主制御装置８００は、排水ポンプを開放して集水室内の水が排出されるよう制御する。また、Ｈ２≦０の場合、主制御装置８００は、排水ポンプを閉止状態として水が排出されないよう制御する。
【０１４４】
Ｓ５：主制御装置８００は、Ｈ２が集水室の側壁の高さのａ％よりも大きいか否かを判断する。Ｈ２＞集水室の側壁の高さのａ％の場合、主制御装置８００は、排水ポンプを開放して集水室内の水が排出されるよう制御する。また、Ｈ２≦集水室の側壁の高さのａ％の場合、主制御装置８００は、排水ポンプを閉止状態として水が排出されないよう制御する。
【０１４５】
ａ％は７０〜８０％とすればよいが、当該数値に限らない。
【０１４６】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【０１４７】
１００      筐体
２００      内槽
２０１      第１排水口
２０２      第１排水管路
２０３      吐水口
２０４      第２排水口
２０５      封止装置
２０５−１  バルブプラグ
２０５−２  電磁装置
２０６      洗濯槽
３００      駆動装置
３０１      モータ
３０２      減速クラッチ装置
３０３      出力軸
４００      集水室
４０１      排水管
５００      装着プレート
５０１      堰止リブ
６００      懸架式制震部材
６０１      制震ユニット
６０２      懸架ロッド
７００      装着部材
７００−１  装着大プレート
７００−２  装着小プレート
７０１      装着部
７０３      第１制震部材
７０４      第２制震部材
８００      主制御装置
８０１      検出装置
８０２      制御構造
【図１】
2020516375.tif 000003
【図２】
2020516375.tif 000004
【図３】
2020516375.tif 000005
【図４】
2020516375.tif 000006
【国際調査報告】
2020516375.tif 000007
2020516375.tif 000008
2020516375.tif 000009
2020516375.tif 000010
2020516375.tif 000011
2020516375.tif 000012